(57)【要約】【課題】軸方向に進退する枠部材を備え防塵・防滴構造を有するレンズ鏡筒において、枠部材の移動時における内部空間と外部空間との間の気圧差を抑制する。【解決手段】本発明のレンズ鏡筒は、固定枠と、前記固定枠内において軸方向に進退移動する移動枠と、前記固定枠と前記移動枠との間の隙間を封じるシール部材と、を備え、さらに前記固定枠の側面部に穿設された第１開口部と、前記第１開口部の径方向外側を覆い、前記固定枠に対して周方向に相対的に回動する摺動環と、前記摺動環の側面部であって前記第１開口部と径方向に重なる位置に穿設された第２開口部と、前記第２開口部を覆う撥水性の通気シートと、前記第２開口部を覆う円筒状の部材であって、内周面が前記通気シートとは離間した状態で前記摺動環に固定されたカバー環と、前記通気シート及び外部空間を連通する通気路と、を備える。【選択図】図５
2016133524.tif 000002
【特許請求の範囲】
【請求項１】
円筒状の固定枠と、
前記固定枠対して軸方向に相対的に進退移動する、少なくとも一部が前記固定枠内に挿入された円筒状の移動枠と、
前記固定枠と前記移動枠との間の隙間を封じる環状のシール部材と、
を備えるレンズ鏡筒であって、
前記固定枠の側面部に穿設された第１開口部と、
前記第１開口部の径方向外側を覆う円筒状の部材であって、前記固定枠の周囲に外嵌し、前記固定枠に対して周方向に相対的に回動する摺動環と、
前記摺動環の側面部であって前記第１開口部と径方向に重なる位置に穿設された第２開口部と、
撥水性を有する網状の部材であって、前記摺動環の外周部の前記第２開口部を覆う領域に貼付された通気シートと、
前記第２開口部の径方向外側を覆う円筒状の部材であって、内周面が前記通気シートとは離間した状態で前記摺動環に固定されたカバー環と、
前記通気シート及び前記カバー環の内周面との間の空間、及び当該レンズ鏡筒の外部空間の間を連通する通気路と、
を備えることを特徴とするレンズ鏡筒。
【請求項２】
前記通気路３４の最小開口面積は、第１開口部の開口面積よりも小さく、かつ前記通気路の開口面積は、前記外部空間に近づくにつれて小さくなることを特徴とする請求項１に記載のレンズ鏡筒。
【発明の詳細な説明】
【技術分野】
【０００１】
本発明は、軸方向に進退する枠部材を有するレンズ鏡筒に関する。
【背景技術】
【０００２】
カメラ等の光学機器においてレンズを保持するレンズ鏡筒には、レンズ光軸に沿って進退する筒状の枠部材を備え、光軸方向の全長が変化するものがある。ここで、レンズ鏡筒の光軸方向の全長の変化は、例えばレンズの焦点距離を変更する場合、レンズの合焦距離を変更する場合、又は未使用時にレンズ鏡筒の全長を短縮する場合等において発生する。このようなレンズ鏡筒では、光軸方向の全長が変化することに伴って、レンズ鏡筒の内部空間の体積が変化する。
【０００３】
また、レンズ鏡筒には、外部から内部空間への塵埃や水滴の侵入を防止するために、相対的に移動する一対の枠部材の間の隙間を封じるシール部材を備え、内部空間の気密性を向上させたものがある。このようなレンズ鏡筒の構造は、一般に防水構造や防塵・防滴構造等と称される。
【０００４】
レンズ光軸に沿って進退する筒状の枠部材を備え、かつ気密性を高めたレンズ鏡筒では、枠部材の進退に伴って内部空間内の空気が空気バネとして作用することにより枠部材の進退移動に対する抵抗力が生じる。
【０００５】
そこで、例えば特開２０１４−１４２３７４号公報に開示されているレンズ鏡筒では、所定の気圧差で開く圧力弁を設けることによって、レンズ鏡筒の内部空間と外部空間との間に生じる気圧差を抑制している。
【先行技術文献】
【特許文献】
【０００６】
【特許文献１】特開２０１４−１４２３７４号公報
【発明の概要】
【発明が解決しようとする課題】
【０００７】
特開２０１４−１４２３７４号公報に開示されている技術では、レンズ鏡筒の内部空間と外部空間との間での通気の際に、圧力弁が音を発生する場合がある。
【０００８】
本発明は、上述した点に鑑みてなされたものであって、軸方向に進退する枠部材を備え防塵・防滴構造を有するレンズ鏡筒において、枠部材の移動時における内部空間と外部空間との間の気圧差を抑制することを目的とする。
【課題を解決するための手段】
【０００９】
本発明の一態様のレンズ鏡筒は、円筒状の固定枠と、前記固定枠対して軸方向に相対的に進退移動する、少なくとも一部が前記固定枠内に挿入された円筒状の移動枠と、前記固定枠と前記移動枠との間の隙間を封じる環状のシール部材と、を備えるレンズ鏡筒であって、前記固定枠の側面部に穿設された第１開口部と、前記第１開口部の径方向外側を覆う円筒状の部材であって、前記固定枠の周囲に外嵌し、前記固定枠に対して周方向に相対的に回動する摺動環と、前記摺動環の側面部であって前記第１開口部と径方向に重なる位置に穿設された第２開口部と、撥水性を有する網状の部材であって、前記摺動環の外周部の前記第２開口部を覆う領域に貼付された通気シートと、前記第２開口部の径方向外側を覆う円筒状の部材であって、内周面が前記通気シートとは離間した状態で前記摺動環に固定されたカバー環と、前記通気シート及び前記カバー環の内周面との間の空間、及び当該レンズ鏡筒の外部空間の間を連通する通気路と、を備える。
【発明の効果】
【００１０】
本発明によれば、軸方向に進退する枠部材を備え防塵・防滴構造を有するレンズ鏡筒において、枠部材の移動時における内部空間と外部空間との間の気圧差を抑制することができる。
【図面の簡単な説明】
【００１１】
【図１】焦点距離が最も短いワイド端の状態のレンズ鏡筒の断面図である。
【図２】焦点距離が最も長いテレ端の状態のレンズ鏡筒の断面図である。
【図３】図１のIII-III断面図である。
【図４】ズーム操作環の斜視図である。
【図５】図３のV-V断面図である。
【図６】図３を同じ断面において、ズーム操作環を可動範囲の反時計方向の端まで回動させた状態を示す図である。
【発明を実施するための形態】
【００１２】
以下に、本発明の好ましい形態について図面を参照して説明する。なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１３】
図１及び図２は、光軸Ｏを含む平面によるレンズ鏡筒１の断面図である。図１に示す本実施形態のレンズ鏡筒１は、後述する複数のレンズを保持するように構成されており、当該レンズの光軸Ｏに沿って相対的に進退する一対の筒状の枠部材である固定枠１１及び移動枠１２を具備する。固定枠１１及び移動枠１２は、光軸Ｏを中心軸とした円筒状の部材であり、移動枠１２の少なくとも一部は、固定枠１１の内側に挿入されている。
【００１４】
以下において、レンズ鏡筒１内に保持されるレンズの光軸Ｏに沿う方向について、物体側（被写体側）を前方と称し、像側を後方というものとする。
【００１５】
本実施形態のレンズ鏡筒１は、焦点距離を変更可能なズームレンズを保持するものであって、図１は、焦点距離が最も短いワイド端の状態を示しており、図２は、焦点距離が最も長いテレ端の状態を示している。図１及び図２に示すように、レンズ鏡筒１の変倍動作（ズーミング動作）に伴って、移動枠１２が固定枠１１に対して光軸Ｏに沿って相対的に進退移動する。なお、レンズ鏡筒１は、固定枠１１及び移動枠１２の双方が光軸Ｏに沿う方向に進退移動する形態であってもよい。
【００１６】
なお、本発明において移動枠１２は、レンズ鏡筒１が変倍動作を行う場合に固定枠１１に対して相対的に進退する形態に限られるものではない。例えば、移動枠１２は、レンズ鏡筒１の未使用時に全長を短縮する、いわゆる沈胴動作に伴って固定枠１１に対して相対的に進退する形態であってもよいし、レンズ鏡筒１の焦点調節動作（フォーカシング動作）に伴って固定枠１１に対して相対的に進退する形態であってもよい。
【００１７】
レンズ鏡筒１は、本実施形態では一例として図示しないカメラ本体に対して着脱可能に構成された、いわゆる交換レンズの形態を有している。具体的には図１に示すように、レンズ鏡筒１は、バヨネット機構やねじ機構等によってカメラ本体に係合可能に構成されたマウント部２を有している。なお、レンズ鏡筒１は、カメラ本体と分離できない形態であってもよいし、またレンズ鏡筒１は、レンズの像側に配設された撮像素子を含む形態であってもよい。
【００１８】
固定枠１１は、略円筒状の部材である。固定枠１１の後方側端部には、マウント部２が固定されている。すなわち、固定枠１１は、レンズ鏡筒１が取り付けられるカメラ本体に対して固定される部位である。
【００１９】
また、固定枠１１の側面部には、貫通孔である第１開口部１１ｂが穿設されている。図３は、図１のIII-III断面図である。なお、図３の記載において、固定枠１１の内側に配設されている部材は省略してある。図３に示すように、第１開口部１１ｂは、周方向に複数設けられている。
【００２０】
固定枠１１の外周部には、固定枠１１に対して光軸Ｏ周りに回転可能に配設された円環状の部材であるズーム操作環３及びフォーカス操作環４が配設されている。ズーム操作環３は、使用者が変倍操作を行う際に用いる操作部材である。ズーム操作環３の回動に伴い、移動枠１２は、固定枠１１に対して光軸Ｏに沿って相対的に進退する。本実施形態では一例として、ズーム操作環３の回動は、後述するカム機構によって移動枠１２に機械的に伝達される。ズーム操作環３は、固定枠１１の第１開口部１１ｂを覆い隠す位置に配設されている。第１開口部１１ｂ及びズーム操作環３の構成の詳細は後述する。
【００２１】
フォーカス操作環４は、使用者が焦点調節操作を行う際に用いる操作部材である。図示しないが、レンズ鏡筒１は、フォーカス操作環４の回動速度と回動方向を検出するエンコーダと、焦点調節動作用のレンズを駆動する電動アクチュエータを備えており、フォーカス操作環４の回動に伴いフォーカス動作用のレンズ焦点調節動作用のレンズを光軸Ｏに沿って進退移動させる構成を有する。
【００２２】
固定枠１１の内側には、固定枠１１に対して光軸Ｏに沿って相対的に進退する移動枠１２、第２レンズ枠１３、第３レンズ枠１４、絞り保持枠１５、第４レンズ枠１６及び第５レンズ枠１７が配設されている。
【００２３】
また、レンズ鏡筒１は、移動枠１２の内側に配設され、固定枠１１に対して光軸Ｏに沿って相対的に進退し、かつ固定枠１１に対して光軸Ｏ周りに回動するカム枠１８を具備する。カム枠１８の前方側端部には、第２レンズ枠１３が固定されている。第３レンズ枠１４、絞り保持枠１５、第４レンズ枠１６及び第５レンズ枠１７は、カム枠１８の内側に配設されている。
【００２４】
カム枠１８は、図２に示すように、後方側の外周面から径方向に突出する凸形状のフォロア１８ａを有している。フォロア１８ａは、周方向に複数設けられている。フォロア１８ａは、固定枠１１に穿設されたカム孔１１ａを貫通し、ズーム操作環３の内周面に設けられた光軸Ｏに平行な直線状の案内溝３ａ内に摺動可能に嵌合する。フォロア１８ａと案内溝３ａとの係合によって、カム枠１８は、ズーム操作環３の光軸Ｏ周りの回動に伴って回動する。また、フォロア１８ａが固定枠１１に設けられたカム孔１１ａと係合していることによって、カム枠１８は、光軸Ｏ周りの回動に伴ってカム孔１１ａの形状に沿って固定枠１１に対して光軸Ｏに沿って相対的に進退する。
【００２５】
また、図２に示すように、カム枠１８の前方側の外周面には、径方向外側に向かって突出する複数のピン１８ｂが設けられている。ピン１８ｂは、移動枠１２の内周面に設けられたカム溝１２ａ内に摺動可能に嵌合する。
【００２６】
移動枠１２は、固定枠１１に対する光軸Ｏ周りの相対的な回動を規制されており、かつ固定枠１１に対して光軸Ｏに沿って相対的に進退する。カム枠１８に設けられたピン１８ｂがカム溝１２ａと係合していることによって、移動枠１２は、カム枠１８が光軸Ｏ周りに回動すると、カム溝１２ａの形状に応じて固定枠１１に対して光軸Ｏに沿って相対的に進退する。すなわち、移動枠１２は、ズーム操作環３の回動に伴い、固定枠１１に対して光軸Ｏに沿って相対的に進退する。移動枠１２の前方側端部には、第１レンズ群２１が固定されている。
【００２７】
第２レンズ枠１３、第３レンズ枠１４、絞り保持枠１５、第４レンズ枠１６及び第５レンズ枠１７は、それぞれ、第２レンズ群２２、第３レンズ群２３、絞りユニット２６、第４レンズ群２４及び第５レンズ群２５を保持する。第２レンズ枠１３は、前述のようにカム枠１８の前方側端部に固定されている。第３レンズ枠１４、絞り保持枠１５、第４レンズ枠１６及び第５レンズ枠１７は、それぞれカム枠１８の内周面に設けられた複数のカム溝との係合や、カム枠１８の内側に配設された電動アクチュエータ等の作用によって、固定枠１１に対して光軸Ｏに沿って相対的に進退する。第３レンズ枠１４、絞り保持枠１５、第４レンズ枠１６及び第５レンズ枠１７を進退させるための構成については、周知の技術であるため説明を省略するものとする。
【００２８】
本実施形態のレンズ鏡筒１は、固定枠１１とズーム操作環３との間、固定枠１１とフォーカス操作環４との間、及び固定枠１１と移動枠１２との間に、それぞれゴム製の環状のシール部材５、６、７を備える。シール部材５、６、７は、固定枠１１と固定枠１１に対して相対的に移動する部材との間に配設されることによって、両者間の隙間を封じてレンズ鏡筒１の外部空間から内部空間への塵埃や水滴の侵入を防止する。また、固定枠１１と移動枠１２との間に配設されるシール部材７は、固定枠１１と移動枠１２との間の隙間を通ってレンズ鏡筒１の外部空間から内部空間に光が到達しないようにする遮光の効果も有する。
【００２９】
次に、固定枠１１の側面部に設けられている第１開口部１１ｂと、固定枠１１の側面部を覆うように配設されているズーム操作環３の構成について説明する。
【００３０】
図３及び図５に示すように、略円筒形状の固定枠１１の側面部には、固定枠１１の外側と内側とを連通する開口部である第１開口部１１ｂが設けられている。本実施形態では一例として、第１開口部１１ｂは、周方向に沿って等間隔に３つ設けられている。なお、第１開口部１１ｂの数や配置は本実施形態に限られるものではない。固定枠１１の側面部の外周には、略円筒状のズーム操作環３が、固定枠１１に対して周方向に回動可能に外嵌している。
【００３１】
なお、ズーム操作環３は、固定枠１１に対する回動の可動範囲が定められており、本実施形態では一例としてズーム操作環１１の可動範囲はおよそ８０度である。図３は、前方から見た場合に固定枠１１に対して、ズーム操作環３を可動範囲の時計方向の端まで回動させた状態を示している。一方、図６は、図３と同一の断面において、前方から見た場合に固定枠１１に対して、ズーム操作環３を可動範囲の反時計方向の端まで回動させた状態を示している。
【００３２】
図４は、ズーム操作環３の斜視図である。ズーム操作環３は、摺動環３１、カバー環３２及び固定環３３の３つの略円筒状の部材と、通気シート８とを有して構成されている。ズーム操作環３の外形は、ズーム操作環３は、摺動環３１、カバー環３２及び固定環３３の３つの略円筒状の部材が組み合わさることによって構成されている。
【００３３】
摺動環３１は、固定枠１１の側面部の外周に摺動可能に外嵌する部材である。前述のように、摺動環３１の内周には、軸方向（光軸Ｏに沿う方向）に平行な案内溝３ａが彫設されている。カバー環３２及び固定環３３は、摺動環３１の側面部の外周に嵌合し、接着剤等によって摺動環３１に固定される。カバー環３２は、固定環３３の前方に配設される。
【００３４】
摺動環３１の外周には、カバー環３２及び固定環３３がそれぞれ外嵌する外径を有する嵌合面３１ｃ及び３１ｄが設けられている。カバー環３２及び固定環３３は、摺動環３１の嵌合面３１ｃ及び３１ｄに、後方から嵌合する。言い換えれば、摺動環３１は、円筒状の部材である固定環３３及びカバー環３２の内側に、前方から挿入される。
【００３５】
図４及び図５に示すように、摺動環３１の嵌合面３１ｃよりも前方には、嵌合面３１ｃの外径よりも径方向外側に突出した突き当て面３１ｅが設けられている。突き当て面３１ｅは、嵌合面３１ｃに後方から外嵌したカバー環３２の前方側端部３２ｂと当接することにより、カバー環３２の軸方向の位置決めを行う部位である。
【００３６】
カバー環３２が摺動環３１の嵌合面３１ｃに外嵌し、固定された状態において、カバー環３２は、固定枠１１の側面部に設けられている第１開口部１１ｂに対して、径方向に重なる位置に配設される。
【００３７】
図５に示すように、嵌合面３１ｄの外径は、嵌合面３１ｃの外径よりも小さい。したがって、嵌合面３１ｃは、嵌合面３１ｄよりも前方において、嵌合面３１ｄの外径よりも径方向外側に突出している。嵌合面３１ｄに後方から外嵌した固定環３３の前方側端部３３ｂが、嵌合面３１ｃの後方側端部３１ｆに当接することによって、固定環３３の軸方向の位置決めが行われる。
【００３８】
また、摺動環３１のカバー環３２が外嵌する嵌合面３１ｃには、凹部３１ｂが形成されている。凹部３１ｂは、軸方向に所定の幅を有し、周方向に沿って帯状に形成されている。本実施形態では、図３に示すように、凹部３１ｂは、径方向に案内溝３ａと重ならない位置に、周方向にそって複数に配列されている。摺動環３１の外周部に形成される凹部３１ｂと、内周部に形成される案内溝３ａとを径方向に重ならないように配置することによって、摺動環３１の肉厚を薄くすることができ、レンズ鏡筒１の小径化を実現できる。
【００３９】
凹部３１ｂは、底面部が固定枠１１の側面部に設けられている第１開口部１１ｂに対して、径方向に重なる位置に形成されている。第１開口部１１ｂが形成されている固定枠１１に対して凹部３１ｂが形成されている摺動環３１は軸周りに相対的に回動するが、本実施形態では、摺動環３１の固定枠１１に対する相対的な位置に関わらず、凹部３１ｂは、常に第１開口部１１ｂに対して径方向に重なる範囲に形成されている。
【００４０】
凹部３１ｂの底面には、貫通孔である第２開口部３１ａが形成されている。本実施形態では、第２開口部３１ａは、凹部３１ｂの底面に複数形成されており、複数の第２開口部は、周方向に沿って配列されている。なお、第２開口部３１ａは、軸方向にも複数配列されていてもよい。
【００４１】
第２開口部３１ａは、凹部３１ｂの底面に形成されていることから、複数の第２開口部３１ａの少なくとも一部は、摺動環３１の固定枠１１に対する相対的な位置に関わらず、常に第１開口部１１ｂの一部と重なる。すなわち、固定枠１１に形成されている第１開口部１１ｂは、常に摺動環３１の第２開口部３１ａが配列された領域の径方向内側に位置する。
【００４２】
凹部３１ｂの径方向外側には、前述のカバー環３２が配設されているため、レンズ鏡筒１の外側から見た場合、凹部３１ｂ内はカバー環３２によって覆われており見ることはできない。
【００４３】
すなわち、凹部３１ｂ内の空間は、ズーム操作環３内に外側からは見えないように形成された空洞部であって、第２開口部３１ａ及び第１開口部１１ｂを介して、固定枠１１の内側の空間と連通している。
【００４４】
また、凹部３１ｂ内の空間は、後述する通気路３４を介してレンズ鏡筒１の外部空間と連通している。したがって、固定枠１１の内側の空間は、第１開口部１１ｂ、第２開口部３１ａ、凹部３１ｂ及び通気路３４を介してレンズ鏡筒１の外部空間と連通している。
【００４５】
通気路３４の構成は特に限られるものではないが、本実施形態の通気路３４は一例として、図４及び図５に示すように、第１溝部３４ａ、第２溝部３４ｂ及び第３溝部を含む。第１溝部３４ａは、突き当て面３１ｅに径方向に沿って彫設され、カバー環３２の前端及び摺動環３１の間の隙間と、後述する第２溝部３４ｂとを連通する。第２溝部３４ｂは、嵌合面３１ｃの凹部３１ｂの前方において軸方向に沿って彫設され、前記第１溝部３４ａと、凹部３１ｂ内の空間とを連通する。また、第３溝部３４ｃは、嵌合面３１ｃの凹部３１ｂの後方において軸方向に沿って彫設され、カバー環３２の後端及び固定環３３の間の隙間と、凹部３１ｂ内の空間とを連通する。なお、通気路３４を構成する溝部の一部又は全部は、カバー環３２の内周面に形成されていてもよい。
【００４６】
凹部３１ｂの底面には、全ての第２開口部３１ａを覆う範囲に、通気シート８が貼付されている。通気シート８は、例えばポリエステル等の合成樹脂からなる微細な目の網からなる。通気シート８は、撥水性の高い材料からなる、もしくは通気シート８は、撥水性を高める表面処理が施されている。通気シート８は、空気を通過させるとともに、レンズ鏡筒１の外部空間から通気路３４を通って凹部３１ｂに入り込んだ塵埃や液滴が、第２開口部３１ａを通ってレンズ鏡筒１の内部空間に入り込むことを防止する。
【００４７】
以上のように構成されたレンズ鏡筒１では、ズーミング操作によって固定枠１１に対して移動枠１２が光軸Ｏに沿って進退移動する場合には、レンズ鏡筒１の内部空間の体積が変化する。このとき、第１開口部１１ｂ、第２開口部３１ａ、通気シート８、凹部３１ｂ及び通気路３４を通して内部空間から外部空間への空気の排出又は外部空間から内部空間への空気の流入が行われるため、ズーミング操作時における内部空間の気圧の変動幅を小さく抑えることができる。ズーミング操作時におけるレンズ鏡筒１の内部空間の気圧の変動幅を小さく抑えることによって、内部空間と外部空間との間の気圧差を抑制することができ、移動枠１２の進退に対して生じる抵抗力を低減することができる。
【００４８】
以上に説明したように、本実施形態のレンズ鏡筒１は、防塵・防滴構造を有し、かつ移動枠１２の移動時における内部空間と外部空間との間の気圧差を抑制することが可能である。
【００４９】
そして、本実施形態のレンズ鏡筒１では、第１開口部１１ｂの開口面積よりも、通気路３４の最小開口面積の方が小さく、また通気路３４の開口面積は、凹部３１ｂ側から外部空間に向かうにつれて狭くなるように構成されている。このように通気路３４の、空気の流れる経路に沿った場合における開口面積の変化に変曲点が生じないようにすることによって、通気路３４内における空気の流動抵抗を減じることができ、レンズ鏡筒１の内部空間と外部空間との間の空気の流出入を速やかに行うことが可能となる。また、この構成により、空気の流動に伴い発生する音を減少させることができる。
【００５０】
なお、本発明は、上述した実施形態に限られるものではなく、特許請求の範囲及び明細書全体から読み取れる発明の要旨或いは思想に反しない範囲で適宜変更可能であり、そのような変更を伴うレンズ鏡筒もまた本発明の技術的範囲に含まれるものである。
【００５１】
本発明に係るレンズ鏡筒は、上述の実施形態で説明したような、カメラに着脱可能ないわゆる交換レンズとしての形態に限らず、カメラやビデオカメラと一体の形態であってもよい。また、本発明に係るレンズ鏡筒は、双眼鏡、録音機器、携帯通信端末、ゲーム機、デジタルメディアプレーヤー、時計、ナビゲーション装置等に設けられる撮像装置のレンズを保持するレンズ鏡筒であってもよい。
【産業上の利用可能性】
【００５２】
前述のように、本発明は、防塵・防滴構造を有し、軸方向に進退する枠部材を有するレンズ鏡筒に対して好適である。
【符号の説明】
【００５３】
１    レンズ鏡筒、
２    マウント部、
３    ズーム操作環、
３ａ    案内溝、
４    フォーカス操作環、
５    シール部材、
６    シール部材、
７    シール部材、
８    通気シート、
１１    固定枠、
１１    第１枠（固定枠）、
１１ａ    カム孔、
１１ｂ    第１開口部、
１２    移動枠（第１レンズ枠）、
１２ａ    カム溝、
１３    第２レンズ枠、
１４    第３レンズ枠、
１５    絞り保持枠、
１６    第４レンズ枠、
１７    第５レンズ枠、
１８    カム枠、
１８ａ    フォロア、
１８ｂ    ピン、
２１    第１レンズ群、
２２    第２レンズ群、
２３    第３レンズ群、
２４    第４レンズ群、
２５    第５レンズ群、
２６    絞りユニット、
３１    摺動環、
３１ａ    第２開口部、
３１ｂ    凹部、
３１ｃ    嵌合面、
３１ｄ    嵌合面、
３１ｅ    突き当て面、
３１ｆ    後方側端部、
３２    カバー環、
３２ａ    内周面、
３２ｂ    前方側端部、
３３    固定環、
３３ａ    内周面、
３４    通気路、
３４ａ    第１溝部、
３４ｂ    第２溝部、
３４ｃ    第３溝部。
【図１】
2016133524.tif 000003
【図２】
2016133524.tif 000004
【図３】
2016133524.tif 000005
【図４】
2016133524.tif 000006
【図５】
2016133524.tif 000007
【図６】
2016133524.tif 000008